Podtech/llm-jp-corpus-v4-ja_patent huggingface dataset:
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
第１の辺を有する基板と、
前記基板の表示領域に設けられた第１電極と、
少なくとも一部が前記第１電極と対向するように設けられた第２電極と、
前記第１電極と前記第２電極との間に配置された発光層と、
前記第１電極と電気的に接続された第１配線と、
前記第２電極と電気的に接続された第２配線と、
を有し、
前記第２配線は、少なくとも一部が前記第１の辺が延びる方向に延在するとともに、前記第１の辺と前記表示領域との間に配置された第１の部分を有し、
前記第１配線は、前記表示領域から前記第１の辺へ向かう方向に延在し、
前記第１配線の一部と前記第２の配線の前記第１の部分の一部とが絶縁体を介して重なっていることを特徴とする電気光学装置。
【請求項２】
前記第１配線に供給される電位と前記第２配線に供給される電位とは互いに異なることを特徴とする請求項１に記載の電気光学装置。
【請求項３】
前記第１配線は前記第２配線よりも高い電位が供給されることを特徴とする請求項１に記載の電気光学装置。
【請求項４】
前記表示領域には複数の前記第１電極が設けられており、
前記第１の辺と前記表示領域との間において前記第２電極と前記第２配線とが接触する
接触部を有し、
前記接触部は、前記表示領域の前記第１の辺に沿った方向において両端に位置する前記
第１電極の間隔長さと同じまたはそれ以上の長さを有することを特徴とする請求項１乃至３のいずれかに記載の電気光学装置。
【請求項５】
平面視において前記第１配線の少なくとも一部と前記第１の部分の少なくとも一部とが
重なる領域において、前記第１配線の少なくとも一部は前記基板と前記第１の部分の少な
くとも一部との間に位置することを特徴とする請求項１から４のいずれか一項に記載の電
気光学装置。
【請求項６】
前記第２配線は２層以上の導電パターンの積層部分を有することを特徴とする請求項１
から５のいずれか一項に記載の電気光学装置。
【請求項７】
基板と、
前記基板の表示領域に設けられた第１電極と、
少なくとも一部が前記第１電極と対向するように設けられた第２電極と、
前記第１電極と前記第２電極との間に配置された発光層と、
前記第１電極と電気的に接続された第１配線と、
前記第２電極と電気的に接続された第２配線と、
前記基板の表示領域の外側に配列された複数の端子と、
を有し、
前記第１配線は前記表示領域から前記端子へ向かう方向に延在し、
前記第２配線は、前記第１配線と交差する部分を有し、
前記第１配線と前記第２配線とが交差する部分において、前記第１配線と前記第２配線との間に絶縁体が設けられていることを特徴とする電気光学装置。
【請求項８】
第１の辺を有する基板と、
前記基板の表示領域に設けられた第１電極と、
少なくとも一部が前記第１電極と対向するように設けられた第２電極と、
前記第１電極と前記第２電極との間に配置された発光層と、
前記第１電極と電気的に接続された第１配線と、
前記第２電極と電気的に接続された第２配線と、
を有し、
前記第１配線は前記表示領域から前記第１の辺へ向かう方向に延在し、
前記第２配線は、前記第１配線と交差する部分を有し、
前記第１配線と前記第２配線とが交差する部分において、前記第１配線と前記第２配線との間に絶縁体が設けられていることを特徴とする電気光学装置。
【請求項９】
前記第１配線に供給される電位と前記第２配線に供給される電位とは互いに異なることを特徴とする請求項７または８に記載の電気光学装置。
【請求項１０】
前記第１配線は前記第２配線よりも高い電位が供給されることを特徴とする請求項９に記載の電気光学装置。
【請求項１１】
請求項１から請求項１０のいずれか一項に記載の電気光学装置を有する電子機器。
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
計算機と、前記計算機に接続される複数のストレージサブシステムとを有する計算機システムであって、
前記複数のストレージサブシステム内の各データの論理的な位置と、当該複数のストレージサブシステムにおいて各前記データが格納される記憶領域との対応を示す情報が格納された第１のテーブルを記憶する第１の記憶手段を備え、
前記計算機は、
前記アプリケーションから与えられるアクセス対象のデータの論理的な位置を指定した第１のアクセス要求を、前記第１のテーブルに基づいて、対応する前記記憶領域を指定した第２のアクセス要求に変換して、対応する前記ストレージサブシステムに発行するアクセス要求発行手段と、
前記複数のストレージサブシステム間で負荷を分散するように、再配置対象のデータ及び当該データの再配置先の前記記憶領域を決定する決定手段と、
前記再配置対象のデータを前記再配置先の前記記憶領域にコピーするように、対応する前記ストレージサブシステムを制御する制御手段と、
前記データの再配置に応じて前記第１のテーブルを更新する更新手段とを備える
ことを特徴とする計算機システム。
【請求項２】
前記決定手段は、
各前記記憶領域の使用状況を、それぞれ対応する前記ストレージサブシステムから取得し、取得した各前記記憶領域の使用状況に基づいて、前記再配置対象のデータ及び当該データの再配置先の前記記憶領域を決定する
ことを特徴とする請求項１に記載の計算機システム。
【請求項３】
前記第１の記憶手段が前記計算機内に設けられた
ことを特徴とする請求項１に記載の計算機システム。
【請求項４】
前記データの再配置先の前記ストレージサブシステムは、
当該データのコピー中に前記計算機からのリードコマンドを受信した場合であってリード対象領域の前記記憶領域内に未コピーの領域が含まれるときには、該リード対象領域への前記データのコピーを優先して実行した後、該リード対象領域から前記リードコマンドにより指定された前記データを読み出して前記計算機に転送する
ことを特徴とする請求項１に記載の計算機システム。
【請求項５】
前記計算機は、
前記複数のストレージサブシステムが提供する各前記記憶領域の状態を示す情報が格納された第２のテーブルを記憶する第２の記憶手段を備え、
前記決定手段は、
前記第２のテーブルに基づいて、前記複数のストレージサブシステムが提供する各前記記憶領域の中からユーザにより指定された条件を満たす前記記憶領域を前記再配置先の記憶領域として決定する
ことを特徴とする請求項１に記載の計算機システム。
【請求項６】
前記記憶領域の状態を表す情報は、
前記記憶領域のサイズ、前記記憶領域のＲＡＩＤ（Redundant Array of Inexpensive Disks）構成の種別、前記記憶領域に対するアクセスの可否、前記記憶領域が配置されている記憶領域を提供する記憶装置の性能、当該記憶装置のエミュレーションタイプ、再配置先としての使用の可否のうちの少なくとも１つの項目に関する情報を含む
ことを特徴とする請求項５に記載の計算機システム。
【請求項７】
ユーザにより指定される前記条件は、
前記再配置先の記憶領域の性能及び信頼性の少なくとも一方に関する条件を含む
ことを特徴とする請求項５に記載の計算機システム。
【手続補正２】
【補正対象書類名】明細書
【補正対象項目名】００１９
【補正方法】変更
【補正の内容】
【００１９】
前記の課題を解決するため、本発明は以下の構成とする。すなわち、計算機と、前記計算機に接続される複数のストレージサブシステムとを有する計算機システムであって、前記複数のストレージサブシステム内の各データの論理的な位置と、当該複数のストレージサブシステムにおいて各前記データが格納される記憶領域との対応を示す情報が格納された第１のテーブルを記憶する第１の記憶手段を備え、前記計算機は、前記アプリケーションから与えられるアクセス対象のデータの論理的な位置を指定した第１のアクセス要求を、前記第１のテーブルに基づいて、対応する前記記憶領域を指定した第２のアクセス要求に変換して、対応する前記ストレージサブシステムに発行するアクセス要求発行手段と、必要時、前記複数のストレージサブシステム間で負荷を分散するように、再配置対象のデータ及び当該データの再配置先の前記記憶領域を決定する決定手段と、前記再配置対象のデータを前記再配置先の前記記憶領域にコピーするように、対応する前記ストレージサブシステムを制御する制御手段と、前記データの再配置に応じて前記第１のテーブルを更新する更新手段とを備えることを特徴とする。記憶領域は、論理的な記憶領域であってもよい。
また、ストレージサブシステムには、計算機の指示にしたがって、データの移動を行う移動手段を付加し、計算機には、データの論理的な位置と、ストレージサブシステムにおいてデータが格納される記憶領域との対応を規定する対応テーブルと、移動手段によってストレージサブシステム間でデータが移動した場合に、対応テーブルを更新する更新手段とを付加した構成とすることもできる。
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
特定の画像誘導手術手順を実行する際に使用されるキットであって、
該キットは、
該キットを用いて実行されるべき該特定の画像誘導手術手順の識別と、
無菌パッケージング内で無菌状態にある特定の手術道具であって、該特定の画像誘導手術手順を実行するための特定の手術道具と、
無菌パッケージング内で無菌状態にある特定の医療器具であって、該特定の画像誘導手術手順において用いられる特定の医療器具と、
無菌パッケージング内で無菌状態にあるオペレータ制御デバイスであって、無菌環境の外部にあるグラフィックプロセッサと電気的に相互接続するオペレータ制御デバイスと、
画像誘導手術処理プログラムの一部分と、該キット内にパッケージングされた該特定の手術道具および該特定の医療器具に関する記述情報とを含むように予めプログラムされているデジタル媒体と
を含み、
該デジタル媒体は、該グラフィックプロセッサによって読み取り可能である、キット。
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
表示部の解像度よりも低い解像度の映像信号を拡大する映像処理装置であって、
映像信号の入力を受ける入力手段と、
前記入力手段で受けた映像信号の画質に関する情報のうち、少なくとも解像度情報を取得する取得手段と、
入力される映像信号が取り得る複数種類の設定解像度の夫々に、各設定解像度の映像信号を前記表示部に表示する場合の表示解像度を関連づけた映像表示サイズ決定情報を保持する保持手段と、
前記映像表示サイズ決定情報を用いて、前記取得手段で取得した解像度情報に合致する設定解像度に関連付けられた表示解像度を決定し、決定した表示解像度になるように、前記入力手段で受けた前記映像信号を拡大する制御手段と、
を有することを特徴とする映像処理装置。
【請求項２】
前記制御手段は、映像信号の画質特性または映像信号の入力端子の種別に応じて、前記決定した表示解像度を調整することを特徴とする請求項１に記載の映像処理装置。
【請求項３】
前記制御手段は、映像信号の解像度情報によらず、入力された映像信号を一定の表示解像度に拡大する制御と、入力された映像信号の解像度情報に応じて表示解像度を決定する制御とのいずれか一方の制御をユーザからの指示に応じて選択的に実行することを特徴とする請求項１または２に記載の映像処理装置。
【請求項４】
前記映像表示サイズ決定情報は、複数種類の解像度に加えて、複数種類のビットレート及び／又は複数種類の符号化フォーマット情報との組み合わせの夫々に、各組み合わせに対応する映像信号を前記表示部に表示する場合の表示解像度が関連付けられており、
前記取得手段は、前記入力手段で受けた映像信号の解像度情報に加えて、ビットレート及び／又は符号化フォーマット情報を取得し、
前記制御手段は、前記取得手段が取得した解像度情報とビットレート及び／又は符号化フォーマット情報と、前記映像表示サイズ決定情報とを用いて、前記表示解像度を決定することを特徴とする請求項１乃至３のいずれか１項に記載の映像処理装置。
【請求項５】
表示部の解像度よりも低い解像度の映像信号を拡大する映像処理装置の制御方法であって、
映像処理装置は、入力される映像信号が取り得る複数種類の解像度の夫々に、各解像度の映像信号を前記表示部に表示する場合の表示解像度を関連付けた映像表示サイズ決定情報を保持する保持部を有し、
映像信号の入力を受ける入力ステップと、
前記入力ステップで受けた映像信号の画質に関する情報のうち、少なくとも解像度情報を取得する取得ステップと、
前記映像表示サイズ決定情報を用いて、前記取得ステップで取得した解像度情報に合致する解像度に関連付けられた表示解像度を決定し、決定した表示解像度情報になるように、前記入力ステップで受けた前記映像信号を拡大する制御ステップと、
を有することを特徴とする映像処理装置の制御方法。
【請求項６】
前記制御ステップでは、映像信号の画質特性または映像信号の入力端子の種別に応じて、前記決定した表示解像度を調整することを特徴とする請求項５に記載の映像処理装置の制御方法。
【請求項７】
前記制御ステップでは、映像信号の解像度情報によらず、入力された映像信号を一定の表示解像度に拡大する制御と、入力された映像信号の解像度情報に応じて表示解像度を決定する制御とのいずれか一方の制御をユーザからの指示に応じて選択的に実行することを特徴とする請求項５または６に記載の映像処理装置の制御方法。
【請求項８】
前記映像表示サイズ決定情報は、複数種類の解像度に加えて、複数種類のビットレート及び／又は複数種類の符号化フォーマット情報との組み合わせの夫々に、各組み合わせに対応する映像信号を前記表示部に表示する場合の表示解像度が関連付けられており、
前記取得手段は、前記入力手段で受けた映像信号の解像度情報に加えて、ビットレート及び／又は符号化フォーマット情報を取得し、
前記制御手段は、前記取得手段が取得した解像度情報とビットレート及び／又は符号化フォーマット情報と、前記映像表示サイズ決定情報とを用いて、前記表示解像度を決定することを特徴とする請求項４乃至７のいずれか１項に記載の映像処理装置の制御方法。
【手続補正２】
【補正対象書類名】明細書
【補正対象項目名】０００８
【補正方法】変更
【補正の内容】
【０００８】
上記目的を達成するために、本発明の映像処理装置は、表示部の解像度よりも低い解像度の映像信号を拡大する映像処理装置であって、映像信号の入力を受ける入力手段と、前記入力手段で受けた映像信号の画質に関する情報のうち、少なくとも解像度情報を取得する取得手段と、入力される映像信号が取り得る複数種類の設定解像度の夫々に、各設定解像度の映像信号を前記表示部に表示する場合の表示解像度を関連づけた映像表示サイズ決定情報を保持する保持手段と、前記映像表示サイズ決定情報を用いて、前記取得手段で取得した解像度情報に合致する設定解像度に関連付けられた表示解像度を決定し、決定した表示解像度になるように、前記入力手段で受けた前記映像信号を拡大する制御手段と、を有する。
【手続補正３】
【補正対象書類名】明細書
【補正対象項目名】０００９
【補正方法】変更
【補正の内容】
【０００９】
また、上記目的を達成するために、本発明の映像処理装置の制御方法は、表示部の解像度よりも低い解像度の映像信号を拡大する映像処理装置の制御方法であって、映像処理装置は、入力される映像信号が取り得る複数種類の解像度の夫々に、各解像度の映像信号を前記表示部に表示する場合の表示解像度を関連付けた映像表示サイズ決定情報を保持する保持部を有し、映像信号の入力を受ける入力ステップと、前記入力ステップで受けた映像信号の画質に関する情報のうち、少なくとも解像度情報を取得する取得ステップと、前記映像表示サイズ決定情報を用いて、前記取得ステップで取得した解像度情報に合致する解像度に関連付けられた表示解像度を決定し、決定した表示解像度情報になるように、前記入力ステップで受けた前記映像信号を拡大する制御ステップと、を有する。
【手続補正書】
【提出日】平成20年1月8日(2008.1.8)
【手続補正１】
【補正対象書類名】明細書
【補正対象項目名】００３０
【補正方法】変更
【補正の内容】
【００３０】
この実施例２においては、導入窓３２からミラー１４に向けて照射されたレーザー光３４は、ミラー１４で反射されてターゲットフィルム２０に投影または透過される。上部からターゲットフィルム２０を見る作業者はターゲットフィルム２０の最適位置標示線４０並びに目盛４４と、ターゲットフィルム２０に投影またはそこを透過するレーザー光３４を見ることができる。この結果、実施例２は実施例１と同じ効果を得ることができる。
【手続補正書】
【提出日】平成20年5月27日(2008.5.27)
【手続補正１】
【補正対象書類名】明細書
【補正対象項目名】００１３
【補正方法】変更
【補正の内容】
【００１３】
電動圧縮機１のハウジング２には、インバータ１２が付設されている。インバータ１２は、ハウジング２のインバータの収容部１０に収容されており、該収容部１０は蓋１１により閉塞されるようになっている。収容部１０には、接続コネクタ部２１が設けられている。インバータ１２は接続コネクタ部２１を介して電源、制御装置（図示略）に接続されている。接続コネクタ部２１を介して、インバータ１０に電力が供給されるとともに、制御信号が伝達されるようになっている。また、収容部１０には、インバータ１２の電源回路に接続される電源電圧平滑用コンデンサ２２が設けられている。
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
蒸気を発生する蒸気発生装置と、
上記蒸気発生装置から供給される蒸気によって被加熱物を加熱するための加熱室と、
上記加熱室の両側壁に設けられて、上記蒸気発生装置から供給される蒸気を上記加熱室内に向かって吹き出す蒸気吹出口を有する蒸気吹出部と、
上記蒸気発生装置から上記蒸気吹出部に蒸気を供給するための蒸気供給通路と
を備え、
上記蒸気吹出部は、上記蒸気供給通路から供給される蒸気の吹出方向を、少なくとも上方と下方との２方向に分離する吹出方向分離手段を含んでいる
ことを特徴とする加熱調理器。
【請求項２】
請求項１に記載の加熱調理器において、
上記吹出方向分離手段は、上記蒸気供給通路から供給される蒸気の吹出方向を、上方と下方前方と下方後方との３方向に分離するようになっている
ことを特徴とする加熱調理器。
【請求項３】
請求項１に記載の加熱調理器において、
上記加熱室の天面に配置されると共に、上記蒸気発生装置から供給される蒸気を下方に向って吹き出す複数の天井蒸気吹出口が設けられた天井パネルを備えると共に、
上記加熱室における上下方向中段には、第１の被加熱物を保持するための第１被加熱物保持材が配設される一方、上記加熱室における上下方向下段には、第２の被加熱物を保持するための第２被加熱物保持材が配設されており、
上記蒸気吹出部は、上記第１被加熱物保持材よりも下側であり、且つ、上記第２被加熱物保持材よりも上側に配置されている
ことを特徴とする加熱調理器。
【手続補正書】
【提出日】平成20年7月22日(2008.7.22)
【手続補正１】
【補正対象書類名】明細書
【補正対象項目名】特許請求の範囲
【補正方法】変更
【補正の内容】
【特許請求の範囲】
【請求項１】 医学診断用放射線撮影において使用するための散乱防止用Ｘ線グリッドの製造方法において、
実質的に透明な基板と高出力レーザとの間に位相マスクとビームホモジナイザの組み合わせを配置することにより、均一なフルエンスを有する高出力レーザビームを放射する工程、
前記ビームホモジナイザを用いて前記レーザビームの状態を調整する工程、
前記状態調整されたレーザビームを用いたアブレーションにより前記位相マスクを通して前記基板の第１の部分を除去する工程、
前記基板及び前記レーザの一方を移動する工程、
前記状態調整されたレーザビームを用いたアブレーションにより前記位相マスクを通して前記基板の第２の部分を除去する工程、
前記基板の除去部分にＸ線を実質的に吸収する吸収材を充填する工程、並びに
前記吸収材を充填する工程の後に前記基板の材料の追加領域を除去する工程
を含むことを特徴とする前記方法。
【請求項２】 前記除去工程が前記基板を完全に貫通する開口を形成することから成る請求項１記載の方法。
【請求項３】 前記基板が重合体から成る請求項１記載の方法。
【請求項４】 前記基板の第１の部分を除去する前記工程が、約０．２５度以下の勾配を与えるように前記基板の材料を除去することから成る請求項３記載の方法。
【請求項５】 前記位相マスクと前記基板との間に対物レンズを配置する工程を更に含む請求項１記載の方法。
【請求項６】 前記基板の第１及び第２の部分を除去する前記工程が、複雑なパターンの除去部分を前記基板中に形成することを含む請求項１記載の方法。
【請求項７】 前記基板の第１及び第２の部分を除去する前記工程が、前記散乱防止用Ｘ線グリッドと共に使用することのできる影像検出器のパターンと整合するように設計されたパターンの除去部分を前記基板中に形成することを含む請求項１記載の方法。
【請求項８】 前記基板の第１及び第２の部分を除去する前記工程が、前記レーザビームの利用を最適化するように設計されたパターンの除去部分を前記基板中に形成することを含む請求項１記載の方法。
【請求項９】 医学診断用放射線撮影において使用するための散乱防止用Ｘ線グリッドを形成するための装置において、
レーザ光を放射するための高出力レーザ、
前記レーザ光の状態を調整するためのビームホモジナイザ、
位相マスク中に失われる分だけ前記状態調整されたレーザ光の量を低減させると共に前記状態調整されたレーザ光のパターンを生み出すための位相マスク、
実質的に透明な基板、
前記基板を支持すると共に、前記基板の相異なる領域を前記状態調整されたレーザ光のパターンに暴露することができるように前記基板を移動させるための可動テーブル、
前記状態調整されたレーザビームを用いたアブレーションにより前記位相マスクを通して前記基板の第１の部分を除去する手段、
前記状態調整されたレーザビームを用いたアブレーションにより前記位相マスクを通して前記基板の第２の部分を除去する手段、
前記基板の除去部分にＸ線を実質的に吸収する吸収材を充填する手段、並びに
前記吸収材を充填した後に前記基板の材料の追加領域を除去する手段を含むことを特徴とする前記装置。
【請求項１０】 前記状態調整されたレーザ光のパターンを前記基板上に集束させるための対物レンズを更に含む請求項９記載の装置。
【請求項１１】 前記対物レンズが軸方向屈折率分布型レンズである請求項１０記載の装置。
【請求項１２】 前記状態調整されたレーザ光の集束パターンが、少なくとも部分的に前記基板中に延びかつ約０．２５度以下の勾配を持った開口を形成することができる請求項１０記載の装置。
【請求項１３】 前記状態調整されたレーザ光の集束パターンが、前記基板を完全に貫通する開口を形成することができる請求項１２記載の装置。
【請求項１４】 前記状態調整されたレーザ光の集束パターンが、複雑なパターンの除去部分を前記基板中に形成することができる請求項１０記載の装置。
【請求項１５】 前記状態調整されたレーザ光の集束パターンが、前記散乱防止用Ｘ線グリッドと共に使用することのできる影像検出器のパターンと整合するように設計されたパターンの除去部分を前記基板中に形成することができる請求項１０記載の装置。
【請求項１６】 前記状態調整されたレーザ光の集束パターンが、前記レーザビームの利用を最適化するように設計されたパターンの除去部分を前記基板中に形成することができる請求項１０記載の装置。
【手続補正書】
【提出日】平成20年7月17日(2008.7.17)
【手続補正１】
【補正対象書類名】明細書
【補正対象項目名】００１４
【補正方法】変更
【補正の内容】
【００１４】
また、仕切壁22は、管部材20の一端部20aから長手方向Ａの全長よりも短い範囲で長手方向Ａに延在して設けられるため、管部材20の長手方向Ａに部分的に設けられることになる。それゆえ、管部材20は、図２，図３に示されるように、閉断面Ｃが仕切壁22により仕切られて形成される２つの閉空間Ｓを有する第１管部分20１と、閉断面Ｃが仕切壁22により仕切られておらず、閉断面Ｃが第１管部分20１の閉空間Ｓの数よりも少ない１つの閉空間Ｓを有する第２管部分20２とから構成される。
【手続補正２】
【補正対象書類名】明細書
【補正対象項目名】００１９
【補正方法】変更
【補正の内容】
【００１９】
そして、各第２壁部26は、剪断機により、図６に二点鎖線で示されるように、第２壁部26の先端部26a側が一端部26bから他端部26cに向けて突出長さが短くなるテーパ形状に剪断されて、第２管素材W2が成形される。その後、図８に示されるように、第２管素材W2がダイス31にセットされて、当初仕切壁22´に対して、ポンチ32による剪断加工である切込みがなされる。この切込みにより、当初仕切壁22´の一部は、第２管素材W2の他端部W2b側から長手方向Ａの設定された長さに渡って除去されて、切欠き33が形成されて、仕切壁22が成形される。なお、切欠き33の長手方向Ａでの長さは、管部材20が使用される車体構造部材の種類に応じ、高い剛性を要しない部分に対応して適宜設定される。
【手続補正３】
【補正対象書類名】明細書
【補正対象項目名】図７
【補正方法】変更
【補正の内容】
【図７】
図６のＶＩＩ−ＶＩＩ線断面図である。
【手続補正書】
【提出日】平成20年7月8日(2008.7.8)
【手続補正１】
【補正対象書類名】明細書
【補正対象項目名】特許請求の範囲
【補正方法】変更
【補正の内容】
【特許請求の範囲】
【請求項１】
処方データに基づいて各種調剤機器を駆動制御することにより調剤する調剤制御システムにおいて、
禁忌処方データを表示する表示手段と、
該表示手段に表示された禁忌処方データに基づいて禁忌処方の処置を入力可能とする入力手段と、
複数の処方データを検査して禁忌処方が検出されることにより、検出された禁忌処方データを待機させ、前記表示手段に表示さると共に、前記入力手段で入力された禁忌処方の処置を開始させる制御手段と、を備えたことを特徴とする調剤制御システム。
【請求項２】
前記禁忌処方の処置は、処方の中止、処方の修正、又は、処方の続行のいずれかであることを特徴とする請求項１に記載の調剤制御システム。
【請求項３】
前記制御手段は、前記入力手段により禁忌処方の処置を入力する際、前記記憶手段に禁忌処方の処置を記録させることを特徴とする請求項１又は２に記載の調剤制御システム。
【請求項４】
前記制御手段は、前記入力手段により禁忌処方の処置を入力する際、前記記憶手段に既に該当する記録があれば、その記録内容を前記表示手段に表示させることを特徴とする請求項１ないし３のいずれか１項に記載の調剤制御システム。
【請求項５】
前記禁忌処方データを送信する送信手段を備え、
前記制御手段は、前記処方データに基づいて禁忌処方が入院であるか否かを判断し、入院である場合、前記送信手段により禁忌処方データを送信させることを特徴とする請求項１ないし４のいずれか１項に記載の調剤制御システム。
【請求項６】
前記制御手段は、禁忌処方の処置が処方の中止である場合、待機した禁忌処方データを削除することを特徴とする請求項２に記載の調剤制御システム。
【請求項７】
前記制御手段は、禁忌処方の処置が処方の修正である場合、待機した禁忌処方データを削除すると共に修正可能に複写することを特徴とする請求項２に記載の調剤制御システム。
【請求項８】
前記制御手段は、禁忌処方の処置が処方の継続である場合、待機した禁忌処方データを回復させることを特徴とする請求項２に記載の調剤制御システム。
【手続補正２】
【補正対象書類名】明細書
【補正対象項目名】０００９
【補正方法】変更
【補正の内容】
【０００９】
【課題を解決するための手段】
本発明は、前記課題を解決するための手段として、処方データに基づいて各種調剤機器を駆動制御することにより調剤する調剤制御システムにおいて、
禁忌処方データを表示する表示手段と、
該表示手段に表示された禁忌処方データに基づいて禁忌処方の処置を入力可能とする入力手段と、
複数の処方データを検査して禁忌処方が検出されることにより、検出された禁忌処方データを待機させ、前記表示手段に表示さると共に、前記入力手段で入力された禁忌処方の処置を開始させる制御手段と、を備えたものである。
【手続補正３】
【補正対象書類名】明細書
【補正対象項目名】００１１
【補正方法】変更
【補正の内容】
【００１１】
前記禁忌処方の処置は、処方の中止、処方の修正、又は、処方の続行のいずれかであればよい。
前記制御手段は、前記入力手段により禁忌処方の処置を入力する際、前記記憶手段に禁忌処方の処置を記録させると、手間をかけることなく禁忌処方と処置の情報を記録することができると共に、禁忌処方と処置の情報を分析して医師に情報を提供することが可能となる点で好ましい。
【手続補正４】
【補正対象書類名】明細書
【補正対象項目名】００１２
【補正方法】変更
【補正の内容】
【００１２】
前記制御手段は、前記入力手段により禁忌処方の処置を入力する際、前記記憶手段に既に該当する記録があれば、その記録内容を前記表示手段に表示させると、過去における禁忌処方と処置の情報を再利用や参考にでき、経験の少ない薬剤師が処置を判断する際の支援が可能となる点で好ましい。
【手続補正５】
【補正対象書類名】明細書
【補正対象項目名】００１３
【補正方法】変更
【補正の内容】
【００１３】
前記制御手段は、前記処方データに基づいて禁忌処方が入院であるか否かを判断し、入院である場合、前記送信手段により禁忌処方データを送信させると、手間をかけずに自動的に担当薬剤師に通知することができる点で好ましい。
前記制御手段は、禁忌処方の処置が処方の中止である場合、待機した禁忌処方データを削除するのが好ましい。
前記制御手段は、禁忌処方の処置が処方の修正である場合、待機した禁忌処方データを削除すると共に修正可能に複写するのが好ましい。
前記制御手段は、禁忌処方の処置が処方の継続である場合、待機した禁忌処方データを回復させるのが好ましい。
【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】  複数のインク吐出口を備えた記録ヘッドを搭載した画像記録装置の印字評価を行う印字評価方法において、
前記記録ヘッドの各インク吐出口から吐出されたインクにより形成されたドットの形成位置または、ドットの面積または、ドットの輝度を第１のドット特性値として測定し、測定された前記第１のドット特性値と予め設定された評価パターン生成条件とに基づき評価パターンを予測し、予測された前記評価パターンから前記画像記録装置の性能を評価することを特徴とする印字評価方法。
【請求項２】  前記記録ヘッドにおける同一のインク吐出口から吐出されたインクにより形成された複数のドットについて測定された前記第１のドット特性値を、前記記録ヘッドのインク吐出口毎に集計した第２のドット特性値を用いて、前記評価パターンを予測し生成することを特徴とする請求項１記載の印字評価方法。
【請求項３】  前記第２のドット特性値として、前記記録ヘッドのインク吐出口毎の前記第１のドット特性値の平均値、もしくは前記インク吐出口毎の前記第１のドット特性値の標準偏差を算出することを特徴とする請求項２記載の印字評価方法。
【請求項４】  前記評価パターン生成条件とは、ドット密度、使用ノズル、ドット内輝度分布を含む条件であることを特徴とする請求項１〜３のいずれか一項記載の印字評価方法。
【請求項５】  前記評価パターンを、デジタル画像として予測し生成することを特徴とする請求項１〜４いずれか一項記載の印字評価方法。
【請求項６】  複数のインク吐出口を備えた記録ヘッドを搭載した画像記録装置の印字評価を行う印字評価装置において、
前記記録ヘッドの各インク吐出口から吐出されたインクにより形成されたドットの画像を入力する画像入力手段と、前記画像入力手段で入力された前記画像を解析し、前記各インク吐出口から吐出されたインクにより形成されたドットの形成位置または、ドットの面積または、ドットの最低輝度を第１のドット特性値として測定する画像解析手段と、前記画像解析手段で測定された前記第１のドット特性値と予め設定された評価パターン生成条件とに基づき評価パターンを予測する画像予測手段と、前記画像予測手段で予測された前記評価パターンから前記画像記録装置の性能を評価する画像評価手段とを具備したことを特徴とする印字評価装置。
【請求項７】  前記画像予測手段は、前記記録ヘッドにおける同一のインク吐出口から吐出されたインクにより形成された複数のドットについて測定された前記第１のドット特性値を、前記記録ヘッドのインク吐出口毎に集計した第２のドット特性値を用いて、前記評価パターンを予測し生成することを特徴とする請求項６記載の印字評価装置。
【請求項８】  前記画像評価手段は、前記第２のドット特性値として、前記記録ヘッドのインク吐出口毎の前記第１のドット特性値の平均値、もしくは前記インク吐出口毎の前記第１のドット特性値の標準偏差を算出することを特徴とする請求項７記載の印字評価装置。
【請求項９】  前記評価パターン生成条件とは、ドット密度、使用ノズル、ドット内輝度分布を含む条件であることを特徴とする請求項６〜８のいずれか一項記載の印字評価装置。
【請求項１０】  前記画像予測手段は、前記評価パターンを、デジタル画像として予測し生成することを特徴とする請求項６記載の印字評価装置。
【手続補正書】
【提出日】平成20年8月22日(2008.8.22)
【手続補正１】
【補正対象書類名】明細書
【補正対象項目名】特許請求の範囲
【補正方法】変更
【補正の内容】
【特許請求の範囲】
【請求項１】
図柄等の識別情報を動的表示する表示装置と、遊技の制御を行う主制御手段と、その主制御手段から送信される払出指示に基づいて所定の有価価値を有する遊技媒体を払い出す払出制御手段とを備えた遊技機において、
前記主制御手段は、前記表示装置における動的表示の表示結果に予め定められた所定の識別情報を現出した場合において、前記払出制御手段により遊技媒体の払い出しを行うものであることを特徴とする遊技機。
【請求項２】  
前記払出制御手段から払い出される遊技媒体は賞球であり、
前記払出制御手段により払い出される賞球の数は、前記表示装置における動的表示の表示結果に現出する所定の識別情報の種類により異なることを特徴とする請求項１記載の遊技機。
【請求項３】  
前記遊技機における遊技状態は、普通遊技状態と、その普通遊技状態より遊技者にとって有利な有益遊技状態とを備えており、
前記有益遊技状態において前記所定の識別情報の現出によって払い出される賞球数は、前記普通遊技状態において前記所定の識別情報の現出によって払い出される賞球数と異なるように構成されていることを特徴とする請求項２記載の遊技機。
【請求項４】  
前記所定の識別情報の種類は、前記表示装置に現出する所定の識別情報の数により異なるものであることを特徴とする請求項１から３のいずれかに記載の遊技機。
【手続補正２】
【補正対象書類名】明細書
【補正対象項目名】０００５
【補正方法】変更
【補正の内容】
【０００５】
【課題を解決するための手段】  この目的を達成するために請求項１記載の遊技機は、図柄等の識別情報を動的表示する表示装置と、遊技の制御を行う主制御手段と、その主制御手段から送信される払出指示に基づいて所定の有価価値を有する遊技媒体を払い出す払出制御手段とを備えており、前記主制御手段は、前記表示装置における動的表示の表示結果に予め定められた所定の識別情報を現出した場合において、前記払出制御手段により遊技媒体の払い出しを行うものである。
請求項２記載の遊技機は、請求項１記載の遊技機において、前記払出制御手段から払い出される遊技媒体は賞球であり、前記払出制御手段により払い出される賞球の数は、前記表示装置における動的表示の表示結果に現出する所定の識別情報の種類により異なる。
請求項３記載の遊技機は、請求項２記載の遊技機において、前記遊技機における遊技状態は、普通遊技状態と、その普通遊技状態より遊技者にとって有利な有益遊技状態とを備えており、前記有益遊技状態において前記所定の識別情報の現出によって払い出される賞球数は、前記普通遊技状態において前記所定の識別情報の現出によって払い出される賞球数と異なるように構成されている。
請求項４記載の遊技機は、請求項１から３のいずれかに記載の遊技機において、前記所定の識別情報の種類は、前記表示装置に現出する所定の識別情報の数により異なるものである。
【手続補正３】
【補正対象書類名】明細書
【補正対象項目名】００９７
【補正方法】変更
【補正の内容】
【００９７】
【発明の効果】  請求項１記載の遊技機によれば、表示装置で行われる動的表示の表示結果に予め定められた所定の識別情報を現出した場合に、払出制御手段により遊技媒体の払い出しを行うことができる。よって、遊技に幅をもたせて、遊技の興趣を向上させることができるという効果がある。
請求項２記載の遊技機によれば、請求項１記載の遊技機の奏する効果に加え、動的表示の表示結果に現出する所定の識別情報の種類（例えば、小役の種類）により、払い出される賞球の数を異ならせる。よって、賞球がいくつ払い出されるかという興趣が生じるので、遊技者を表示装置に集中させることができ、遊技に対する興趣を向上させることができるという効果がある。
請求項３記載の遊技機によれば、請求項２記載の遊技機の奏する効果に加え、遊技者に有利な有益遊技状態における賞球数を異なるように構成することにより、有益遊技状態時の遊技に重み（幅）をもたせて、遊技者の遊技に対する興趣を向上させることができるという効果がある。
請求項４記載の遊技機によれば、請求項１から３のいずれかに記載の遊技機の奏する効果に加え、所定の識別情報（例えば、「７」の図柄）が表示装置に現出する数により払い出される遊技媒体の価値が異なるので、所定の識別情報の種類を増やすことができ、遊技者の遊技に対する興趣を向上させることができるという効果がある。
【手続補正書】
【提出日】平成20年7月10日(2008.7.10)
【手続補正１】
【補正対象書類名】明細書
【補正対象項目名】特許請求の範囲
【補正方法】変更
【補正の内容】
【特許請求の範囲】
【請求項１】  基板の研磨加工後に、前もって研磨装置の定められた位置に待機させられ、チャック機構の下面に保持されている研磨加工された基板を落下させてこの基板を載せる仮置台（９ｂ）であって、該仮置台（９ｂ）は、
円筒状脚（９１）の上部に、起立した縁部（９２ａ）を外周縁に有し、中央部（９２ｂ）が外周部分（９２ｃ）と比較して低い段差（９２ｄ）を有する略円板状底板（９２）を設け、この略円板状底板（９２）の外周縁近傍内側に複数個のピコ（７４，７４…）が昇降可能な大きさの孔（９３，９３，９３…）を同一円周（１００）上に設け、前記段差（９２ｄ）よりは高い円環状の脚（９４ａ）を有し、この脚を構成する側壁に複数の噴流吹出口（９４ｂ，９４ｂ…）を設けた蓋体（９４）の一部に流体導入孔（９２ｅ）を設けた基板受皿（９０）、
前記基板受皿（９０）の円筒状脚内をシリンダロッド（８１）が昇降可能に、かつ、該ロッドの軸芯（Ａ）と前記基板受皿（９０）の軸芯（Ｂ）が同一線上となるように設置された昇降機構（８０）、
中央（７１）より外周方向に放射状に延び、前記基板受皿（９０）の円筒状脚（９１）に設けた開口部（９１ａ，９１ａ…）を経て円筒状脚（９１）外部に延びた複数のア−ム（７２，７２…）を有する板状の取付金具（７３）を前記昇降機構のシリンダロッド先端（８１ａ）に水平に固定し、該各ア−ムの先端近傍に頭部（７４ａ）が円錐状で脚部（７４ｂ）が円柱状のピコ（７４，７４…）を垂直に起立させ、該ピコの円錐状頭部（７４ａ）が前記基板受皿（９０）の略円板状底板（９２）に設けた孔（９３）上面より上に位置するように設けた基板芯出位置決め機構（７０）、および、
前記基板受皿（９０）の略円板状底板（９２）と蓋体（９４）とで構成される流体通路（６１）に流体を導く前記流体導入孔（９２ｅ）に噴水流を供給するスクレ−バ機構（６０）、
よりなる基板用仮置台（９ｂ）。
【請求項２】  仮置台（９ｂ）の基板受皿（９２）上面に噴水流を供給して水膜を張り、この噴水流を基板受皿上面に供給している状態でチャック機構の下面に保持されている研磨加工された基板を前記仮置台（９ｂ）の基板受皿（９２）上に落下させ、基板の研磨面を噴水流で洗浄した後、昇降機構（８０）のシリンダロッド（８１）を上昇させることにより基板芯出位置決め機構（７０）の複数のピコ（７４，７４，…）により研磨基板のセンタリングを行うとともに、前記ピコにより外周縁を固定された研磨基板を仮置台（９ｂ）の基板受皿（９０）外周縁より起立した縁部（９２ａ）の上部より高い位置に研磨・洗浄された基板を移動させ、ついで、研磨・洗浄された基板の端部を搬送ロボット（８ｂ）のア−ムで把持し、収納カセット（７ｂ）内に研磨・洗浄された基板を搬送することを特徴とする、基板の搬送方法。
【手続補正２】
【補正対象書類名】明細書
【補正対象項目名】００２２
【補正方法】変更
【補正の内容】
【００２２】  【課題を解決するための手段】
本発明の請求項１は、基板の研磨加工後に、前もって研磨装置の定められた位置に待機させられ、チャック機構の下面に保持されている研磨加工された基板を落下させてこの基板を載せる仮置台（９ｂ）であって、該仮置台（９ｂ）は、
円筒状脚（９１）の上部に、起立した縁部（９２ａ）を外周縁に有し、中央部（９２ｂ）が外周部分（９２ｃ）と比較して低い段差（９２ｄ）を有する略円板状底板（９２）を設け、この略円板状底板（９２）の外周縁近傍内側に複数個のピコ（７４，７４，７４，７４，７４）が昇降可能な大きさの孔（９３，９３，９３，９３，９３）を同一円周（１００）上に設け、前記段差（９２ｄ）よりは高い円環状の脚（９４ａ）を有し、この脚を構成する側壁に複数の噴流吹出口（９４ｂ，９４ｂ，９４ｂ，９４ｂ，９４ｂ）を設けた蓋体（９４）の一部に流体導入孔（９２ｅ）を設けた基板受皿（９０）、
前記基板受皿（９０）の円筒状脚内をシリンダロッド（８１）が昇降可能に、かつ、該ロッドの軸芯（Ａ）と前記基板受皿（９０）の軸芯（Ｂ）が同一線上となるように設置された昇降機構（８０）、
中央（７１）より外周方向に放射状に延び、前記基板受皿（９０）の円筒状脚（９１）に設けた開口部（９１ａ，９１ａ，９１ａ，９１ａ，９１ａ）を経て円筒状脚（９１）外部に延びた複数のア−ム（７２，７２，７２，７２，７２）を有する板状の取付金具（７３）を前記昇降機構のシリンダロッド先端（８１ａ）に水平に固定し、該各ア−ムの先端近傍に頭部（７４ａ）が円錐状で脚部（７４ｂ）が円柱状のピコ（７４，７４，７４，７４，７４）を垂直に起立させ、該ピコの円錐状頭部（７４ａ）が前記基板受皿（９０）の略円板状底板（９２）に設けた孔（９３）上面より上に位置するように設けた基板芯出位置決め機構（７０）、および、
前記基板受皿（９０）の略円板状底板（９２）と蓋体（９４）とで構成される流体通路（６１）に流体を導く前記流体導入孔（９２ｅ）に噴水流を供給するスクレ−バ機構（６０）、
よりなる基板用仮置台（９ｅ）を提供するものである。 
【手続補正３】
【補正対象書類名】明細書
【補正対象項目名】００２３
【補正方法】変更
【補正の内容】
【００２３】
本発明の請求項２は、仮置台（９ｂ）の基板受皿（９２）上面に噴水流を供給して水膜を張り、この噴水流を基板受皿上面に供給している状態でチャック機構の下面に保持されている研磨加工された基板を前記仮置台（９ｂ）の基板受皿（９２）上に落下させ、基板の研磨面を噴水流で洗浄した後、昇降機構（８０）のシリンダロッド（８１）を上昇させることにより基板芯出位置決め機構（７０）の複数のピコ（７４，７４，…）により研磨基板のセンタリングを行うとともに、前記ピコにより外周縁を固定された研磨基板を仮置台（９ｂ）の基板受皿（９０）外周縁より起立した縁部（９２ａ）の上部より高い位置に研磨・洗浄された基板を移動させ、ついで、研磨・洗浄された基板の端部を搬送ロボット（８ｂ）のア−ムで把持し、収納カセット（７ｂ）内に研磨・洗浄された基板を搬送することを特徴とする、基板の搬送方法を提供するものである。  
【手続補正４】
【補正対象書類名】明細書
【補正対象項目名】００４６
【補正方法】変更
【補正の内容】
【００４６】
前記基板受皿９０の略円板状底板９２と蓋体９４とで構成される流体通路６１に流体を導く前記流体導入孔９２ｅに噴水流を供給するスクレ−バ機構６０、よりなる。
図中、６０ａはスクレ−バ機構の噴水流孔、６０ｂは止栓、９５は蓋止用ビス、９６はシ−ルプレ−ト、９７はシリンダブラケット、９８は基板確認用センサ、９９はブッシュである。
【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
培地にススキの種子を播種し、陽光を透過させた赤色光を照射して発芽を促進させることを特徴とするススキ種子の発芽促進方法。
【請求項２】
培地が、発酵菌が配合されている培地であることを特徴とする請求項１に記載のススキ種子の発芽促進方法。
【請求項３】
発酵菌が、乳酸菌、放線菌、糸状菌、酵母から選ばれる１種又は２種以上であることを特徴とする請求項２に記載のススキ種子の発芽促進方法。
【請求項４】
培地が、保水材を主材とする培地であることを特徴とする請求項１〜３のいずれかに記載のススキ種子の発芽促進方法。
【請求項５】
保水材が、もみがら、ピートモス、おがくず、バーミキュライト、パーライト、ゼオライト、珪藻土から選ばれる１種又は２種以上であることを特徴とする請求項４に記載のススキ種子の発芽促進方法。
【請求項６】
培地に播種したススキの種子を保温資材で保温することを特徴とする請求項１〜５のいずれかに記載のススキ種子の発芽促進方法。
【請求項７】
請求項１〜６のいずれかに記載の方法で発芽、伸長させた幼苗をポットに移植して育成することを特徴とするススキ苗木の作成方法。
【請求項８】
請求項７に記載の方法で作成したススキ苗木を植栽することを特徴とするススキによる緑化方法。
【手続補正２】
【補正対象書類名】明細書
【補正対象項目名】発明の名称
【補正方法】変更
【補正の内容】
【発明の名称】ススキ種子の発芽促進方法
【手続補正３】
【補正対象書類名】明細書
【補正対象項目名】００１５
【補正方法】変更
【補正の内容】
【００１５】
すなわち、本発明は、以下の通りである。
（１）培地にススキの種子を播種し、陽光を透過させた赤色光を照射して発芽を促進させることを特徴とするススキ種子の発芽促進方法。
（２）培地が、発酵菌が配合されている培地であることを特徴とする前記（１）に記載のススキ種子の発芽促進方法。
（３）発酵菌が、乳酸菌、放線菌、糸状菌、酵母から選ばれる１種又は２種以上であることを特徴とする前記（２）に記載のススキ種子の発芽促進方法。
（４）培地が、保水材を主材とする培地であることを特徴とする前記（１）〜（３）のいずれかに記載のススキ種子の発芽促進方法。
（５）保水材が、もみがら、ピートモス、おがくず、バーミキュライト、パーライト、ゼオライト、珪藻土から選ばれる１種又は２種以上であることを特徴とする前記（４）に記載のススキ種子の発芽促進方法。
（６）培地に播種したススキの種子を保温資材で保温することを特徴とする前記（１）〜（５）のいずれかに記載のススキ種子の発芽促進方法。
（７）前記（１）〜（６）のいずれかに記載の方法で発芽、伸長させた幼苗をポットに移植して育成することを特徴とするススキ苗木の作成方法。
（８）前記（７）に記載の方法で作成したススキ苗木を植栽することを特徴とするススキによる緑化方法。
【手続補正４】
【補正対象書類名】明細書
【補正対象項目名】００２０
【補正方法】変更
【補正の内容】
【００２０】
本発明に係る植物種子の発芽促進方法において、対象となる種子は、発芽率が低く苗の生育が困難なススキの種子である。
【手続補正５】
【補正対象書類名】明細書
【補正対象項目名】００２１
【補正方法】変更
【補正の内容】
【００２１】
ススキの種子を播種する培地は、通常イネ科植物種子を播種、生育させることのできる土壌であれば特に限定されないが、この培地には発酵菌が配合されていることが好ましい。発酵菌の作用によって、培地の温度を高めることができ、それにより、ススキの種子の発芽が促進されるからである。発酵菌としては、例えば、乳酸菌、放線菌、糸状菌、酵母等が挙げられる。
【手続補正６】
【補正対象書類名】明細書
【補正対象項目名】００２３
【補正方法】変更
【補正の内容】
【００２３】
本発明で用いる培地には、ススキの種子の発芽率を向上させるために、無機又は有機の保水材が含有されていることが好ましく、培地が保水材を主材とする培地であることがより好ましい。この場合、保水材は培地の半量以上を占めることが好ましく、８０％以上を占めていることがより好ましい。
【手続補正７】
【補正対象書類名】明細書
【補正対象項目名】００２６
【補正方法】変更
【補正の内容】
【００２６】
培地にススキの種子を播種した後は、播種した植物種子の上に保温資材を載せ、保温しながら赤色光を照射するのがよい。このようにすることにより、植物種子が寒さから護られ、適当な水分量が保持されることで、発芽が促進される。保温資材としては、保温性のある天然又は合成資材であればよく、例えば、水蘚、スポンジなどを、単独又は組み合せて使用すればよい。
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
表面側に遊技領域が形成された遊技盤と、その遊技盤の表面側から裏面側へ貫通された取付穴と、その取付穴内へ前記遊技盤の表面側から挿入されて前記遊技領域に配設される入賞装置と、前記遊技盤の裏面側に取着される裏カバーとを備えた遊技機において、
前記入賞装置は、
前記遊技領域における前記取付穴の開口縁に当接する台板と、
遊技球が入球可能な入賞口を形成する前面部と、
その前面部により形成される入賞口に入賞した遊技球を検出する検出センサと、
前記取付穴に挿通されて前記遊技盤の裏面側に到達する係合部材と、
その係合部材に設けられる第１係合部とを備えるとともに、
前記係合部材とは異なる部材に前記台板及び前記前面部が設けられ、
前記遊技盤は、
前記第１係合部と着脱可能に係合されると共に前記遊技盤の裏面側における前記取付穴の開口縁に設けられる第２係合部を備え、
前記裏カバーが取着された前記遊技盤の裏面側から前記係合部材を操作可能に露出させる部位が前記裏カバーに形成されることにより、前記遊技盤の裏面側に前記裏カバーが取着されたままの状態で前記係合部材を操作することによって前記第１係合部と第２係合部の係合状態を解除して前記入賞装置を取り外し可能としたことを特徴とする遊技機。
【手続補正２】
【補正対象書類名】明細書
【補正対象項目名】０００６
【補正方法】変更
【補正の内容】
【０００６】
しかしながら、例えば、機構盤に配設されるアウト球通路、セーフ球処理装置またはセーフ球排出通路へ誘導する入賞球集合カバーが遊技盤の裏面側に配設されており、この入賞球集合カバーにより遊技盤の裏面側が覆われてしまう。即ち、上述した弾性仮止め片を有する構成部品を備えたパチンコ機は、入賞球集合カバーにより取付穴が遊技盤の裏面側から覆われてしまうことが考えられるのである。
【手続補正３】
【補正対象書類名】明細書
【補正対象項目名】００１０
【補正方法】変更
【補正の内容】
【００１０】
この目的を達成するために請求項１記載の遊技機は、表面側に遊技領域が形成された遊技盤と、その遊技盤の表面側から裏面側へ貫通された取付穴と、その取付穴内へ前記遊技盤の表面側から挿入されて前記遊技領域に配設される入賞装置と、前記遊技盤の裏面側に取着される裏カバーとを備えており、前記入賞装置は、前記遊技領域における前記取付穴の開口縁に当接する台板と、遊技球が入球可能な入賞口を形成する前面部と、その前面部により形成される入賞口に入賞した遊技球を検出する検出センサと、前記取付穴に挿通されて前記遊技盤の裏面側に到達する係合部材と、その係合部材に設けられる第１係合部とを備えるとともに、前記係合部材とは異なる部材に前記台板及び前記前面部が設けられ、前記遊技盤は、前記第１係合部と着脱可能に係合されると共に前記遊技盤の裏面側における前記取付穴の開口縁に設けられる第２係合部を備え、前記裏カバーが取着された前記遊技盤の裏面側から前記係合部材を操作可能に露出させる部位が前記裏カバーに形成されることにより、前記遊技盤の裏面側に前記裏カバーが取着されたままの状態で前記係合部材を操作することによって前記第１係合部と第２係合部の係合状態を解除して前記入賞装置を取り外し可能としたものである。
【手続補正４】
【補正対象書類名】明細書
【補正対象項目名】００１１
【補正方法】変更
【補正の内容】
【００１１】
本発明の遊技機によれば、遊技盤に配設される入賞装置の係合部材は、遊技盤の取付穴内に挿通されて遊技盤の裏面側に到達し、その遊技盤の裏面側に到達した係合部材に設けられる第１係合部と、遊技盤の裏面側における取付穴の開口縁に設けられる第２係合部とが着脱可能に係合される。しかも、遊技盤の裏面側に取着される裏カバーは、係合部材を操作可能に露出される部位が形成されているので、遊技盤の裏面側に裏カバーが取着されたままの状態で係合部材を操作することによって第１係合部と第２係合部との係合状態を解除して入賞装置を取り外すことができる。よって、遊技盤に配設された入賞装置を遊技盤から取り外すために、裏カバーを遊技盤の裏面側から一々取り外す必要がなく、その分、遊技機の解体作業や入賞装置の交換作業を簡素化して、かかる作業に要する作業コストを低減することができるという効果がある。
【手続補正５】
【補正対象書類名】明細書
【補正対象項目名】０１００
【補正方法】変更
【補正の内容】
【０１００】
５０            入賞装置
２ａ            台板
２ｂ            前面カバー（前面部）
３              入賞球センサ（検出センサ）
１０            遊技盤
１０ａ          遊技領域
１０ｂ          取付穴
１１            入賞球集合カバー（裏カバー）
１１ｃ          貫通穴（係合部材を操作可能に露出させる部位）
５１            係合部材
５１ａ          補助係合突起（第１係合部）
Ｐ              球（遊技球）